(57)【要約】【課題】この発明は、上述の問題に鑑み、所望の形状の養殖真珠を形成する真珠核、該真珠核を用いた養殖真珠、およびその真珠の養殖方法を提供することを目的とする。【解決手段】ハート型養殖真珠１を養殖するために、アコヤ貝に核入れするハート型真珠核１０を曲線凹部１１を有する略ハート型に形成し、該曲線凹部１１を、養殖状態において母貝の血球・生殖細胞５０の滞留を防止する正面視下向き凸状の滑らかな曲線であり、換言するならば正面視上方が左右の幅方向に開いたＵ型状に形成するとともに、肉厚方向において上向き凸状の流線形状で形成した。【選択図】図２
2009055873.tif 000002
【特許請求の範囲】
【請求項１】
真珠を養殖するために、真珠養殖用の母貝に核入れする真珠核であって、
該真珠核を、凹部を有する所望の形状に形成し、
該凹部を、
養殖状態において前記母貝の生殖成分の滞留を防止する滞留防止形状で形成したことを特徴とする
真珠核。
【請求項２】
真珠を養殖するための真珠養殖用の母貝に、
凹部を有する所望の形状に形成し、該凹部を養殖状態において前記母貝の生殖成分の滞留の発生を防止する滞留防止形状で形成した真珠核を核入れして飼養した
養殖真珠。
【請求項３】
真珠を養殖するための真珠養殖用の母貝に、
ピース貝の外とう膜切片と、
凹部を有する所望の形状に形成し、該凹部を養殖状態において前記母貝の生殖成分の滞留の発生を防止する滞留防止形状で形成した真珠核とを核入れして飼養する
真珠の養殖方法。
【発明の詳細な説明】
【技術分野】
【０００１】
この発明は、例えば、ピース貝の外とう膜の切片とともに、真珠を養殖するための真珠養殖用の母貝に、核入れするような真珠核、該真珠核を用いた養殖真珠、及び真珠の養殖方法に関する。
【背景技術】
【０００２】
養殖真珠は、アコヤ貝等の真珠貝（養殖用母貝）の生殖巣に、外とう膜の切片（以下において「ピース」という）と密着させて真珠核を核入れし、その養殖用母貝を養殖用いかだに取り付けて海中で飼養することで上記真珠核の表面に真珠層が形成されて作られる。更に詳しくは、上記ピースと密着させて真珠核を母貝の生殖巣に核入れすることによって、ピースから生じる遊走細胞が真珠核を包み込む真珠袋（以下において「パールサック」という）を形成し、このパールサックによる真珠層分泌によって、真珠核の表面に真珠層を形成することができる。
【０００３】
こうして養殖された養殖真珠の形状は上記パールサックの形状によって形成され、略真円であるラウンド、ドロップ、バロック、エッグ、或いはサークル等の様々な形状のものが存在している。なお、これらの形状は意図的に形成されたものではなく、飼養過程において偶発的に形成されるものである。
【０００４】
しかし、需要が多様化している昨今では、様々な形状の養殖真珠が求められおり、所望の形状に形成する養殖真珠が提案されている（特許文献１参照）。  
この養殖真珠は多角形の真珠核を核入れして多角形状の養殖真珠を形成するものであり、多角形でない例えば、ハート型や星型のようなファッション性に富んだ形状の養殖真珠を得るものではないため、利用者の満足を得ることはできなかった。
【特許文献１】特開昭５７−２２６３１号公報
【発明の開示】
【発明が解決しようとする課題】
【０００５】
この発明は、上述の問題に鑑み、所望の形状の養殖真珠を形成する真珠核、該真珠核を用いた養殖真珠、およびその真珠の養殖方法を提供することを目的とする。
【課題を解決するための手段】
【０００６】
この発明は、真珠を養殖するために、真珠養殖用の母貝に核入れする真珠核であって、該真珠核を、凹部を有する所望の形状に形成し、該凹部を、養殖状態において前記母貝の生殖成分の滞留を防止する滞留防止形状で形成するともに、該真珠核を核入れして飼養した養殖真珠、及びその真珠の養殖方法であることを特徴とする。
【０００７】
上記養殖用の母貝とは、海産真珠貝であるアコヤ貝、クロチョウ貝、シロチョウ貝又はマベ貝等、あるいは淡水産真珠貝であるイケチョウ貝等の真珠貝であることを含む。  
上記真珠核は、樹脂、淡水の貝殻或いは淡水真珠を加工して形成した真珠核であることを含む。
【０００８】
上記凹部を有する所望の形状は、例えばハート型や星型等の凹部を有する形状であることを含み、上記凹部は、周囲から凹状に形成された部分や、形成された凸部と凸部との間に構成される凹状の部分であることを含む。  
上記生殖成分は、血液中に含まれる血球等の血液成分、生殖細胞、生殖細胞の屑等で少なくともいずれかで構成された成分であることを含む。
【０００９】
上記滞留防止形状は、母貝の血液中に含まれる血球や生殖細胞の滞留の発生を防止する曲線や流線形状で形成された形状であり、多方向から流れる血球や生殖細胞の滞留の発生を防止する形状であることを含む。
【００１０】
これにより、例えばハート型や星型等の凹部を有するようなファッション性に富んだ形状の養殖真珠を得ることができる。  
詳しくは、一般的な凹部を有する形状の真珠核を核入れした場合、母貝の血液中に含まれる血球や生殖細胞が凹部で滞留し、この滞留部分を包み込むようパールサックを形成するため、凹部を有する所望の形状の養殖真珠を得ることは困難であるが、前記凹部を前記母貝の生殖成分の滞留を防止する滞留防止形状で形成したことによって、生殖成分が滞留凹部を有する真珠核を包み込むようにパールサックが形成され、前記凹部を有する所望の形状の養殖真珠を得ることができる。
【発明の効果】
【００１１】
この発明により、上述の問題に鑑み、所望の形状の養殖真珠を形成する真珠核、該真珠核を用いた養殖真珠、およびその真珠の養殖方法を提供することを目的とすることができる。
【発明を実施するための最良の形態】
【００１２】
この発明の一実施形態を以下図面と共に説明する。  
略ハート型のハート型養殖真珠１の斜視図を示す図１、ハート型養殖真珠１の厚み方向中央付近の縦断面図を示す図２、ハート型養殖真珠１の幅方向中央付近の縦断面図を示す図３、ハート型養殖真珠１０及びピース４０の核入れについて説明する説明図を示す図４、パールサック３０及び血球・生殖細胞５０について説明する説明図を示す図５及び図６、並びに従来の異型真珠核１１０を用いた場合のパールサック１３０及びハート型養殖真珠１００について説明する図１０とともに、ハート型養殖真珠１及びハート型真珠核１０について説明する。
【００１３】
ハート型養殖真珠１は、アコヤ貝（図示省略）を養殖用母貝として養殖された正面視略ハート型の養殖真珠であり、ハート型養殖真珠１より一回り小さな正面視略ハート型のハート型真珠核１０と、該ハート型真珠核１０の表面に形成された真珠層２０とで構成されている。また、図３に示すように、ハート型養殖真珠１及びハート型真珠核１０ともに適宜の厚みを有する曲線形状で形成されている。
【００１４】
なお、正面視略ハート型で形成されたハート型真珠核１０は、正面視幅方向中央上部に下方向の曲線凹部１１を備えている。該曲線凹部１１は、正面視下向に凸状の滑らかな曲線で形成されており、換言するならば正面視上方が左右の幅方向に開いたＵ型状に形成されている。また、図３に示すように、肉厚方向において上向き凸状の流線形状で形成し、下先端凸部１２も、滑らかな曲線形状で形成されている。
【００１５】
なお、側面視薄板状に形成される通常のハート型の場合（図１０参照）、当該箇所は鋭角なＶ字型のＶ字凹部１１１となるとともに、鋭角なＶ字型の下先端凸部１１２となる。
【００１６】
このような構成のハート型真珠核１０を、アコヤ貝（図示省略）の生殖巣６０に核入れすることによって、ハート型真珠核１０の表面に真珠層２０が形成されて適宜の肉厚を有する正面視略ハート型のハート型養殖真珠１を得ることができる。
【００１７】
続いて、上記構成で構成されたハート型真珠核１０に真珠層２０が形成されるアコヤ貝（図示省略）の生殖巣６０内部での真珠層２０の形成について説明する。  
ハート型真珠核１０は、ピース貝の外とう膜から切り出したピース４０と密着させてアコヤ貝の生殖巣６０に挿核手術によって核入れされる。外とう膜外側上皮４１、組織層４２及び外とう膜内側上皮４３のこの順の３層構造で構成されたピース４０（図４中ａ部拡大図参照）の該外とう膜外側上皮４１及び組織層４２から生じる遊走細胞がハート型真珠核１０の表面を覆いながらパールサック３０を形成する。
【００１８】
このように、外とう膜外側上皮４１をハート型真珠核１０の表面と密着させてピース４０及びハート型真珠核１０を核入れすることによってパールサック３０とハート型真珠核１０との間に不要な隙間のないパールサック３０を形成し、形成された真珠層２０にシミ等の発生を防止している。詳しくは、ハート型真珠核１０表面とパールサック３０との間に不必要な隙間が生じた場合、該隙間に後述する血球・生殖細胞５０が滞留し、真珠層２０にシミが生じる可能性が高くなる。したがって、図４に示すように、ピース４０の外とう膜外側上皮４１をハート型真珠核１０の表面又は裏面のいずれかの高さ方向中央付近に密着させて核入れしている。
【００１９】
このようにして、生殖巣６０にハート型真珠核１０とピース４０が核入れされ、ピース４０の遊走細胞によってパールサック３０が形成される際において、図１０に示す通常のハート型の異型真珠核１１０の鋭角なＶ字型のＶ字凹部１１１のように、異型真珠核１１０の周囲を流れるアコヤ貝の血液が幅方向だけでなく厚み方向も、流れてきた血球・生殖細胞１５０が巻き込まれて滞留するような形状で形成されているため、そこで滞留した血球・生殖細胞１５０を包み込む形でパールサック１３０が形成される。これは、食作用によって当該部分を修復するための母貝であるアコヤ貝の反応であるが、このようにして、Ｖ字凹部１１１を血球・生殖細胞１５０で埋められた形状のパールサック１３０が形成され、パールサック１３０の内側である外とう膜外側上皮の細胞から真珠質が分泌してハート型養殖真珠１００の表面に形成される真珠層１２０も、Ｖ字凹部１１１が血球・生殖細胞１５０で埋められた形状で形成され、所望のハート型のハート型養殖真珠１００を得ることはできない。
【００２０】
このように所望のハート型を得ることが困難である側面視薄板状の異型真珠核１１０に対して、曲線凹部１１の正面から見た拡大図である図５ａ部及び曲線凹部１１の断面方向の拡大図である図６ｂ部に示すように、本発明のハート型真珠核１０は曲線凹部１１を上述の形状に形成したため、血液及び該血液に含まれる血球・生殖細胞５０は曲線凹部１１で、矢印ｆに示すように、幅方向も肉厚方向も滞留することがなく流れる。
【００２１】
すなわち、本発明のハート型真珠核１０は、流体力学的に、曲線凹部１１の正面視形状及び断面形状をともに血球・生殖細胞５０の滞留を防止する流線形状で形成している。したがって、血球・生殖細胞５０による有機質層が曲線凹部１１に沈着することなく、パールサック３０は曲線凹部１１に沿うとともにハート型真珠核１０に密着する形状に形成され、パールサック３０の内側形状に沿って形成される真珠層２０もハート型真珠核１０に密着した略ハート型に形成される。  
これにより、所望の形状である略ハート型のハート型養殖真珠１を得ることができる。
【００２２】
このように、ハート型養殖真珠１を養殖するために、アコヤ貝に核入れするハート型真珠核１０を曲線凹部１１を有する略ハート型に形成し、該曲線凹部１１を、母貝の血球・生殖細胞５０の滞留を防止する正面視下向き凸状の滑らかな曲線で形成し、換言するならば正面視上方が左右の幅方向に開いたＵ型状に形成するとともに、肉厚方向において上向き凸状の流線形状で形成しているため、養殖状態の生殖巣６０内部において、ハート型真珠核１０の周囲を流れるアコヤ貝の血液や該血液に含まれる血球等に含まれる血球・生殖細胞５０が滞留することなく、矢印ｆに示すような血球・生殖細胞５０の流れを誘導し、血球・生殖細胞５０による有機質層が曲線凹部１１に沈着することなく、ハート型真珠核１０に密着するパールサック３０及び真珠層２０が形成され、所望の形状である略ハート型のハート型養殖真珠１を得ることができる。
【００２３】
また、ピース４０とハート型真珠核１０とを生殖巣６０に核入れする際、ピース４０の外とう膜外側上皮４１をハート型真珠核１０の表面又は裏面の中央付近に密着させて核入れしているため、パールサック３０とハート型真珠核１０との間に隙間が生じることを防止している。これにより、パールサック３０とハート型真珠核１０との間に隙間が生じた場合、その隙間部分に血球・生殖細胞５０が滞留して真珠層２０にシミや突起が生じることを防止している。
【００２４】
したがって、傷やシミがなく、所望の形状であるファッション性に富んだ良品であるハート型養殖真珠１を得ることができ、ハート型養殖真珠１を養殖する養殖者やハート型養殖真珠１を利用する利用者の満足度を向上することができる。
【００２５】
なお、上記実施例においては所望の形状として略ハート型のハート型養殖真珠１及びハート型真珠核１０について説明したが、図７及び図８に示すような正面視略星型の星型真珠核１０ａを用いて正面視略星型の星型養殖真珠１ａを形成してもよい。
【００２６】
この星型真珠核１０ａは、周方向に等間隔に配置された５個の径外向凸部１２ａを備えており、隣合う径外向凸部１２ａの間に径内向の曲線凹部１１ａを形成している。曲線凹部１１ａは、径内向に凸状の滑らかな曲線であり、換言するならば径外向に開いたＵ型状に形成するとともに、図８に示すように、曲線凹部１１ａは肉厚方向において外向きに凸状の流線形状で形成している。換言するならば、上記ハート型養殖真珠１を形成するハート型真珠核１０の曲線凹部１１と同様に、曲線凹部１１ａの正面視形状及び断面形状を、流体力学的に血球・生殖細胞５０の滞留を防止する流線形状で形成している。したがって、血球・生殖細胞５０で埋められていない曲線凹部１１ａに沿う形状のパールサックを形成することができる（図９ｃ部，ｅ部参照）。
【００２７】
また、径外向凸部１２ａの最径外部である頂点部分も径外向に凸状の滑らかな曲線であり、換言するならば径内向に開いたＵ型状に形成するとともに、図８に示すように、径外向凸部１２ａは肉厚方向において外向きに凸状の流線形状で形成している。換言するならば、流体力学的に、径外向凸部１２ａの正面視形状及び断面形状をともに血球・生殖細胞５０の滞留を防止する流線形状で形成している（図９ｄ部参照）。
【００２８】
このように凸状部分を有する真珠核の場合、従来の多角形真珠核２１０の用いた場合の多角形養殖真珠２００について説明する図１１に示すように、図１１（ａ）に示すようなり略立方体形状である多角形真珠核２１０の周囲を流れるアコヤ貝の血液や該血液に含まれる血球等に含まれる血球・生殖細胞２５０が凸状角部２１１を越えたところで巻き込まれて滞留して沈着し、そこで沈着した血球・生殖細胞２５０を包み込む形でパールサック２３０が形成される。そして、このパールサック２３０の内側である外とう膜外側上皮の細胞から真珠質が分泌して多角形養殖真珠２００の表面に形成される真珠層も、血球・生殖細胞２５０が沈着した形状で形成され、所望の凸状部分を有する多角形状の多角形養殖真珠２００を得ることは困難であった。
【００２９】
しかし、本発明の星型真珠核１０ａにおける径外向凸部１２ａを上記形状に形成しているため、ピース４０とともに生殖巣６０に核入れした際に、星型真珠核１０ａの周囲を流れる血液及び該血液に含まれる血球・生殖細胞５０による有機質層が、曲線凹部１１ａや径外向凸部１２ａ付近で滞留して沈着することなく、星型真珠核１０ａに密着する形状のパールサック３０が形成され、パールサック３０の内側形状に沿って形成される真珠層２０ａも星型真珠核１０ａに密着した略星型に形成され、所望の形状である略星型の星型養殖真珠１ａを得ることができる。
【００３０】
このように、ハート型真珠核１０の形状を上述したような略ハート型や略星型に限定することなく、血球・生殖細胞５０の滞留を防止する曲線形状で形成した凹部を有する所望の形状で形成してもよく、それにより所望の形状のハート型養殖真珠１を得ることができる。
【００３１】
この発明の構成と、上述の実施形態との対応において、
この発明の養殖真珠は、実施形態のハート型養殖真珠１又は星型養殖真珠１ａに対応し、
以下同様に、
母貝は、アコヤ貝に対応し、
生殖成分は、血球・生殖細胞５０に対応し、
真珠核は、ハート型真珠核１０又は星型真珠核１０ａに対応し、
凹部は、曲線凹部１１，１１ａに対応し、
外とう膜切片は、ピース４０に対応するも、
この発明は、上述の実施形態の構成のみに限定されるものではなく、多くの実施の形態を得ることができる。
【図面の簡単な説明】
【００３２】
【図１】ハート型養殖真珠の斜視図。
【図２】ハート型養殖真珠の厚み方向中央付近の縦断面図。
【図３】ハート型養殖真珠の幅方向中央付近の縦断面図。
【図４】ハート型養殖真珠及びピースの核入れについて説明する説明図。
【図５】パールサック及び血球・生殖細胞について説明する説明図。
【図６】パールサック及び血球・生殖細胞について説明する説明図。
【図７】星型養殖真珠の厚み方向中央付近の縦断面図。
【図８】星型養殖真珠の幅方向中央付近の縦断面図。
【図９】星型養殖真珠におけるパールサック及び血球・生殖細胞について説明する説明図。
【図１０】従来の異型真珠核を用いた場合のパールサック及び異型養殖真珠について説明する説明図。
【図１１】従来の多角形真珠核を用いた場合について説明する説明図。
【符号の説明】
【００３３】
１…ハート型養殖真珠
１a…星型養殖真珠
１０…ハート型真珠核
１０ａ…星型真珠核
１１，１１ａ…曲線凹部
４０…ピース
５０…血球・生殖細胞
【図１】
2009055873.tif 000003
【図２】
2009055873.tif 000004
【図３】
2009055873.tif 000005
【図４】
2009055873.tif 000006
【図５】
2009055873.tif 000007
【図６】
2009055873.tif 000008
【図７】
2009055873.tif 000009
【図８】
2009055873.tif 000010
【図９】
2009055873.tif 000011
【図１０】
2009055873.tif 000012
【図１１】
2009055873.tif 000013